(57)【要約】【課題】きわそり用の刃ユニットの姿勢を好適化して、コンビ剃りの際にひげを刃ユニットの切刃部分に確実に誘い込むことができ、しかもきわ剃りを安定した状態で的確に行なうことができる電気かみそりを提供する。【解決手段】ヘッド部１と、本体部２と、トリマーユニット４とを備えている。トリマーユニット４は、上下スライド自在なホルダー５１と、ホルダー５１で揺動軸６５を介して前後揺動自在に軸支される刃ユニット５２と、刃ユニット５２を移動付勢するばね７２とを含む。本体部２とホルダー５１との間に、トリマーユニット４を待機位置と、コンビ剃り位置と、きわ剃り位置において位置保持する節動構造を設ける。本体部２とトリマーユニット４との間に姿勢変更構造を設けて、コンビ剃り位置における刃ユニット５２を、待機位置における刃ユニット５２よりメイン刃６側へ接近する向きに傾動操作する。【選択図】図１
2010022437.tif 000002
【特許請求の範囲】
【請求項１】
メイン刃（６）を備えたヘッド部（１）と、ヘッド部（１）を支持する本体部（２）と、トリマーユニット（４）とを備えており、
トリマーユニット（４）は、本体部（２）で上下スライド自在に支持されるホルダー（５１）と、ホルダー（５１）で揺動中心軸（６５）を介して前後揺動自在に軸支される刃ユニット（５２）と、刃ユニット（５２）を移動付勢するばね（７２）とを含み、
本体部（２）とホルダー（５１）との間には、トリマーユニット（４）を下方の待機位置と、待機位置より上方のコンビ剃り位置と、コンビ剃り位置より上方のきわ剃り位置との各位置において位置保持する節動構造が設けられており、
コンビ剃り位置における刃ユニット（５２）を、待機位置における刃ユニット（５２）よりメイン刃（６）側へ接近する向きに傾動操作する姿勢変更構造が、本体部（２）とトリマーユニット（４）との間に設けてあることを特徴とする電気かみそり。
【請求項２】
姿勢変更構造が、きわ剃り位置における刃ユニット（５２）を、コンビ剃り位置における刃ユニット（５２）よりメイン刃（６）から遠ざかる向きに傾動操作できるように構成してある請求項１に記載の電気かみそり。
【請求項３】
姿勢変更構造が、コンビ剃り位置における刃ユニット（５２）を、コンビ剃り位置からメイン刃（６）側へさらに接近傾動できるように構成してある請求項１または２に記載の電気かみそり。
【請求項４】
姿勢変更構造が、きわ剃り位置における刃ユニット（５２）の前後傾動を規制できるように構成してある請求項３に記載の電気かみそり。
【請求項５】
刃ユニット（５２）が、ヘッドケース（５９）と、ヘッドケース（５９）に組み付けられる固定刃（６０）、および可動刃（６１）とを含み、
ヘッドケース（５９）が揺動中心軸（６５）を介してホルダー（５１）で前後揺動自在に軸支されて、ばね（７２）でメイン刃（６）から遠ざかる向きへ揺動付勢されており、
節動構造が、本体部（２）の側に設けられる節度突起（７４）と、ホルダー（５１）に固定される弾性腕（７５）とで構成されており、
姿勢変更構造が、ヘッドケース（５９）に操作軸（６６）を介して連結される操作レバー（８１）と、本体部（２）に設けられて、操作レバー（８１）をコンビ剃り位置およびきわ剃り位置で受け止める第１・第２のストッパー（８２・８３）と、ばね（７２）で構成されており、
操作レバー（８１）は、弾性変形可能な弾性腕（８４）と、弾性腕（８４）の遊端に設けられて、両ストッパー（８２・８３）で受け止め保持される係止片（８５）とを備えており、
コンビ剃り位置において、前記係止片（８５）を第１ストッパー（８２）で受け止め保持することにより操作レバー（８１）の上方スライドを規制して、刃ユニット（５２）をメイン刃（６）側へ接近する向きに傾動操作でき、
きわ剃り位置において、第１ストッパー（８２）を乗り越えた係止片（８５）を第２ストッパー（８３）で受け止め保持することにより、刃ユニット（５２）をばね（７２）でメイン刃（６）から遠ざかる向きに傾動操作する請求項２から４のいずれかに記載の電気かみそり。
【請求項６】
固定刃（６０）および可動刃（６１）が、ヘッドケース（５９）に対して上下に重なる状態で組み付けられて、両者（６０・６１）の切刃部分が刃ユニット（５２）の上部後面に露出されており、
メイン刃（６）と刃ユニット（５２）との間のヘッド部（１）の外面に、ひげをメイン刃（６）へ導入案内する櫛歯（９０）が形成されており、
刃ユニット（５２）の上端にひげを起毛する毛起し部（９１）が形成してある請求項２から５のいずれかに記載の電気かみそり。
【請求項７】
毛起し部（９１）が波形ないし鋸刃状に形成してある起毛突起（９３）で構成してある請求項６に記載の電気かみそり。
【請求項８】
刃ユニット（５２）の上端が、固定刃（６０）および可動刃（６１）の切刃部分へ向かって下り傾斜する傾斜面で形成されており、
前記傾斜面に複数段の起毛突起（９３）が形成してある請求項７に記載の電気かみそり。
【発明の詳細な説明】
【技術分野】
【０００１】
本発明は、トリマーユニットを備えている電気かみそりに関する。
【背景技術】
【０００２】
本発明では、メイン刃ときわ剃り刃とが協同して同時にひげを切断するが、この種のひげそり形態（以下、単にコンビ剃りという。）は特許文献１にみることができる。さらに、同文献１にはトリマーユニットを押し上げ操作するのに伴なって刃ユニットの姿勢を変更することが開示してある。
【０００３】
そこでは、振動子の往復動力を受け継ぐ受動アームと刃ユニットとが、揺動ピンを介して相対揺動可能に連結してある。また、刃ユニットの両側外面にはスライドピンが固定してあり、このピンをヘッド部に設けたガイド溝で案内してある。以て、トリマーユニットを待機位置から使用位置へ押し上げ操作するとき、刃ユニットをその上端がメイン刃に外接する向きへ傾動できるようにしている。
【０００４】
同趣旨の電気かみそりは特許文献２にも開示されている。そこでは、スイッチハンドルの上端にきわ剃り用の刃ユニットが設けてあり、スイッチハンドルを押し上げ操作するとき、刃ユニットがメイン刃から離れる向きに傾斜できるようにしている。詳しくは、スイッチハンドルの上半部と下半部を一体成形ヒンジを介して接続しておき、スイッチハンドルを押し上げ操作するとき、ハンドル上半部を本体ケースに設けた突起で前面外方へ押し出し操作して、刃ユニットをメイン刃から離れる向きに前傾させている。
【０００５】
【特許文献１】特開昭５６−５７４７８号公報（第６欄１６〜２０行、第２図）
【特許文献２】特開昭６３−２０６２７４号公報（第４頁右下欄９〜２０行、第２２図、第２３図）
【発明の開示】
【発明が解決しようとする課題】
【０００６】
特許文献１の電気かみそりによれば、きわそり用の刃ユニットをメイン刃側へ傾動させて、両刃でコンビ剃りを行なえる。さらに、刃ユニットの下端側に設けられた切刃を本体部の前面に突出させて、もみあげ部分のひげを切断できる。しかし、コンビ剃り時に、刃ユニットの切刃部分をメイン刃に外接させるので、ひげを刃ユニットの切刃部分に誘い込むのが難しい。また、刃ユニットの上下端のそれぞれに切刃を設けるので、一方の切刃を使用するとき他方の切刃で肌面を傷つけるおそれがあり、きわ剃り刃の使用に際して慎重な取り扱いが必要となる。
【０００７】
その点、特許文献２の電気かみそりでは、スイッチハンドルの上端にきわ剃り用の刃ユニットを設けるので、ひげを刃ユニットの切刃部分に確実に誘い込むことができる。また、誤って肌面を傷つけることもない。しかし、一体成形ヒンジのみで支持されたハンドル上半部の上端に刃ユニットを設けるので、刃ユニットが外力を受けるときハンドル上半部が前後にぐらつきやすい。とくに、スイッチハンドルを最上端まで押し上げた状態では、突起が一体成形ヒンジの近傍に接当するので、ハンドル上半部を安定した状態で支持できない。
【０００８】
本発明の目的は、きわそり用の刃ユニットの姿勢を好適化して、コンビ剃りやきわ剃りを安定した状態で的確に行なうことができる電気かみそりを提供することにある。本発明の目的は、コンビ剃りの際にひげを切刃部分に確実に誘い込んで、長毛やくせ毛を刃ユニットでより確実に切断し、さらにメイン刃で切断されたひげをメイン刃で効果的に切断できる電気かみそりを提供することにある。
【課題を解決するための手段】
【０００９】
本発明の電気かみそりは、メイン刃６を備えたヘッド部１と、ヘッド部１を支持する本体部２と、トリマーユニット４とを備えている。トリマーユニット４は、本体部２で上下スライド自在に支持されるホルダー５１と、ホルダー５１で揺動中心軸６５を介して前後揺動自在に軸支される刃ユニット５２と、刃ユニット５２を移動付勢するばね７２とを含む。本体部２とホルダー５１との間には、トリマーユニット４を下方の待機位置と、待機位置より上方のコンビ剃り位置と、コンビ剃り位置より上方のきわ剃り位置との各位置において位置保持する節動構造を設ける。コンビ剃り位置における刃ユニット５２を、待機位置における刃ユニット５２よりメイン刃６側へ接近する向きに傾動操作する姿勢変更構造を、本体部２とトリマーユニット４との間に設ける。
【００１０】
姿勢変更構造は、上記の姿勢変更機能に加えて、きわ剃り位置における刃ユニット５２を、コンビ剃り位置における刃ユニット５２よりメイン刃６から遠ざかる向きに傾動操作できるように構成する。
【００１１】
姿勢変更構造は、上記の姿勢変更機能に加えて、コンビ剃り位置における刃ユニット５２を、コンビ剃り位置からメイン刃６側へさらに接近傾動できるように構成する。
【００１２】
姿勢変更構造は、上記の姿勢変更機能に加えて、きわ剃り位置における刃ユニット５２の前後傾動を規制できるように構成する。
【００１３】
刃ユニット５２は、ヘッドケース５９と、ヘッドケース５９に組み付けられる固定刃６０、および可動刃６１とを含む。ヘッドケース５９は揺動中心軸６５を介してホルダー５１で前後揺動自在に軸支し、ばね７２でメイン刃６から遠ざかる向きへ揺動付勢する。節動構造は、本体部２の側に設けられる節度突起７４と、ホルダー５１に固定される弾性腕７５とで構成する。姿勢変更構造は、ヘッドケース５９に操作軸６６を介して連結される操作レバー８１と、本体部２に設けられて、操作レバー８１をコンビ剃り位置およびきわ剃り位置で受け止める第１・第２のストッパー８２・８３と、ばね７２とで構成する。操作レバー８１は、弾性変形可能な弾性腕８４と、弾性腕８４の遊端に設けられて、両ストッパー８２・８３で受け止め保持される係止片８５とを備えている。コンビ剃り位置において、前記係止片８５を第１ストッパー８２で受け止め保持することにより操作レバー８１の上方スライドを規制して、刃ユニット５２をメイン刃６側へ接近する向きに傾動操作する。さらに、きわ剃り位置において、第１ストッパー８２を乗り越えた係止片８５を第２ストッパー８３で受け止め保持することにより、刃ユニット５２をばね７２でメイン刃６から遠ざかる向きに傾動操作する。
【００１４】
固定刃６０および可動刃６１は、ヘッドケース５９に対して上下に重なる状態で組み付けられて、両者６０・６１の切刃部分が刃ユニット５２の上部後面に露出する。メイン刃６と刃ユニット５２との間のヘッド部１の外面に、ひげをメイン刃６へ導入案内する櫛歯９０を形成する。刃ユニット５２の上端にひげを起毛する毛起し部９１を形成する。
【００１５】
毛起し部９１は波形ないし鋸刃状に形成してある起毛突起９３で構成する。
【００１６】
刃ユニット５２の上端を、固定刃６０および可動刃６１の切刃部分へ向かって下り傾斜する傾斜面で形成する。前記傾斜面に複数段の起毛突起９３を形成する。
【発明の効果】
【００１７】
本発明の電気かみそりにおいては、上下スライドするホルダー５１と、ホルダー５１で前後揺動自在に軸支される刃ユニット５２と、刃ユニット５２を付勢するばね７２などでトリマーユニット４を構成した。さらに、本体部２とホルダー５１との間に節動構造と姿勢変更構造を設けて、刃ユニット５２の姿勢を待機位置と、コンビ剃り位置とで変更できるようにした。詳しくは、コンビ剃り位置における刃ユニット５２を、待機位置における刃ユニット５２よりメイン刃６側へ接近する向きに傾動操作して、前後に隣接するメイン刃６と刃ユニット５２とでコンビ剃りを行なうようにした。
【００１８】
上記のように、刃ユニット５２をメイン刃６側へ近接傾動させた状態でコンビ剃りを行なうと、刃ユニット５２で長毛を切断したのち、切断された短いひげをメイン刃６で切断して、的確にコンビ剃りを行なえる。また、節動構造、および姿勢変更構造によって刃ユニット５２をコンビ剃り位置に適した姿勢に位置保持し、その状態を確りと保持固定できるので、刃ユニット５２によるひげ切断を常に確実に安定した状態で行なえる。さらに、刃ユニット５２をメイン刃６側へ近接傾動させることにより、両者６・５２の刃先が肌面に同時に接触する状態でコンビ剃りを行なって、肌面に対する押圧力を和らげることができ、肌面への負担を軽減した状態で軽快にコンビ剃りを行なえる。
【００１９】
きわ剃り位置における刃ユニット５２を、姿勢変更構造でメイン刃６から遠ざかる向きへ傾動操作する電気かみそりによれば、刃ユニット５２をメイン刃６より上方へ突出させ、さらにメイン刃６から充分に離れた状態の刃ユニット５２で、もみあげなどのきわ剃りを行なえるので、メイン刃６に邪魔されることもなく刃ユニット５２の切刃部分を確実に視認しながら的確にきわ剃りを行なえる。また、節動構造および姿勢変更構造で刃ユニット５２をきわ剃り位置に確りと保持固定できるので、刃ユニット５２によるひげなどの切断を安定した状態で行なえる。
【００２０】
コンビ剃り位置における刃ユニット５２を、コンビ剃り位置からメイン刃６側へさらに接近傾動できるように構成した電気かみそりによれば、メイン刃６と刃ユニット５２とでコンビ剃りを行なうとき、肌面の変化や、外力の変化に追随して刃ユニット５２を前後傾動させて、肌面が刃ユニット５２によって過剰に押圧され、あるいは刃ユニット５２で皮膚が引っ張られるのを防止できる。したがって、肌面への負担を軽減した状態でさらに軽快にコンビ剃りを行なえる。
【００２１】
きわ剃り位置における刃ユニット５２の前後傾動を規制できるように構成した電気かみそりによれば、メイン刃６より上方に突出する刃ユニット５２が前後にぐらつくのを防止できる。したがって、刃ユニット５２によるひげ切断を正確に的確に行なうことができる。因みに、設計上は操作レバー８１で刃ユニット５２の前後傾動を規制するように設定していたとしても、実際には僅かな誤差の集積等によって、係止片８５と第２ストッパー８３との間に僅かな隙間を生じることがある。こうした場合には、刃ユニット５２は直立姿勢から、先の隙間分だけメイン刃６側へ僅かに接近傾動する位置との範囲内で微傾動できる。また、先の隙間がなかったとしても、第２ストッパー８３の上面が成形の関係で僅かに傾斜している場合には、掛止片８５は第２ストッパー８３の上面に沿って僅かに滑り移動することができ、これにより、刃ユニット５２は直立姿勢からメイン刃６の側へ僅かに前傾でき、その範囲内で前後に微傾動して肌面への負担を軽減できることとなる。いずれの場合でも、きわ剃り位置において刃ユニット５２が前後に微傾動できる角度範囲はごく僅かであり、コンビ剃り位置での刃ユニット５２の前後傾動範囲に比べて充分に小さい。
【００２２】
節度突起７４と弾性腕７５とで節動構造を構成し、ヘッドケース５９に連結される操作レバー８１と、本体部２に設けられる第１・第２のストッパー８２・８３と、ばね７２などで姿勢変更構造を構成した電気かみそりによれば、トリマーユニット４を節動構造によって待機位置と、コンビ剃り位置と、きわ剃り位置の各位置において位置固定できる。また、コンビ剃り位置において、係止片８５を第１ストッパー８２で受け止め保持することにより操作レバー８１の上方スライドを規制して、刃ユニット５２をメイン刃６側へ接近する向きに傾動操作できる。さらに、きわ剃り位置において、第１ストッパー８２を乗り越えた係止片８５を第２ストッパー８３で受け止め保持することにより、刃ユニット５２をばね７２でメイン刃６から遠ざかる向きに傾動操作できる。
【００２３】
上記のように、節動構造でトリマーユニット４を位置決めし、姿勢変更構造で刃ユニット５２をコンビ剃り位置と、きわ剃り位置の各位置において傾動操作する電気かみそりによれば、ひげ切断時の刃ユニット５２の姿勢を、コンビ剃り時ときわ剃り時とで好適化できる。したがって、ひげを刃ユニット５２の切刃部分に確実に誘い込んで効率よくコンビ剃りを行なえ、しかも、安定した状態で的確にきわ剃りを行なうことができる。また、両ストッパー８２・８３で操作レバー８１の係止片８５を受け止めて、刃ユニット５２の姿勢を変更するので、姿勢変更構造の構造を簡素化しながら、コンビ剃り位置およびきわ剃り位置の各位置において、刃ユニット５２が不必要にぐらつくのを規制できる。
【００２４】
固定刃６０および可動刃６１を、ヘッドケース５９に対して上下に重なる状態で組み付けた電気かみそりにおいて、メイン刃６と刃ユニット５２との間のヘッド部１の外面に櫛歯９０を形成し、さらに刃ユニット５２の上端に毛起し部９１を形成すると、肌面に倒れ込んだ長毛やくせ毛などを毛起し部９１で強制的に起毛して刃ユニット５２で切断できる。さらに、刃ユニット５２で切断されたひげを櫛歯９０で導入案内しながら、メイン刃６で効果的に切断でき、全体としてコンビ剃りを効率よく行なえる。
【００２５】
毛起し部９１を波形ないし鋸刃状に形成してある起毛突起９３で構成すると、起毛突起９３の突部や凹部によって肌面に倒れ込んだ長毛やくせ毛などを確実に捕捉して起毛でき、例えば複数個の直線リブや直線溝で毛起し部９１を形成した場合に比べて、倒れ込んだ長毛やくせ毛を確実に起毛しながら刃ユニット５２で切断できる。
【００２６】
刃ユニット５２の上端の傾斜面に複数段の起毛突起９３を形成すると、下段側の起毛突起９３で捕捉し損ねた長毛やくせ毛を、上段側の起毛突起９３で捕捉することができる。さらに、隣接する一方の起毛突起９３で肌面を押圧し、長毛やくせ毛の一部を肌面から浮かせたのち他方の起毛突起９３で捕捉することができ、全体として起毛突起９３によるひげの捕捉をさらに効果的に行なうことができる。
【発明を実施するための最良の形態】
【００２７】
（実施例）  図１ないし図１６は本発明にかかる電気かみそりの実施例を示す。図１および図２において、電気かみそりは、ヘッド部１と、ヘッド部１を支持する本体部２と、本体部２に装着される防護枠３と、本体部２の後面側に配置されるトリマーユニット４などで構成する。防護枠３は装飾枠を兼ねており、さらに本体部２と協同して電気かみそりのグリップ部を構成する。なお、この実施例における前後あるいは左右とは、図１および図２に示す矢印と前後および左右の表記に従うものとする。
【００２８】
図４においてヘッド部１は、ヘッドベース７と、ヘッドベース７の上面を塞ぐ上カバー８と、網刃からなる外刃９をアーチ状に保持する外刃ホルダー１０と、ロータリー式の内刃１１を支持する内刃ホルダー１２と、ヘッドベース７の下面にモーターホルダー１３を介して固定されるモーター１４と、モーター動力を内刃１１に伝動する伝動機構などで構成してある。外刃９と内刃１１とでメイン刃６を構成している。内刃１１は、多数個のスパイラル状の小刃を円柱状の樹脂軸にインサート固定して構成してあり、横軸回りに回転駆動されて、外刃９と協働して比較的短いひげを切断する。
【００２９】
モーター動力は、その出力軸に固定した原動ギヤ１５と、第２ギヤ１６、および一対の傘歯車１７・１８を介して、水平の中間軸１９に伝動され、中間軸１９と内刃軸との間に設けたギヤトレイン２０を介して内刃１１に伝動される。中間軸１９には振動子２１がスライド自在に支持してあり、先の原動ギヤ１５と一体に設けたカム２２と振動子２１によって、回転動力を往復動力に変換している。この往復動力は、トリマーユニット４に伝動される。なお、モーター１４はヘッドベース７に固定するが、その大半の部分は後述する内ケース２４に収容されている。
【００３０】
図６において本体部２は、本体ケース２３と、本体ケース２３の内部に配置される内ケース２４と、内ケース２４の内部に配置される内フレーム２５と、内フレーム２５に固定される２次電池（電池）２６、および回路基板２７などの電装品ユニットで構成する。図４に示すように、モーターホルダー１３の左右両側にはスライド爪２９が設けてあり、これらのスライド爪２９を内フレーム２５に設けたガイド溝３０でスライド案内し、さらに、モーターホルダー１３の底面と内フレーム２５との間に設けた前後一対のフロートばね３１でモーターホルダー１３を押し上げ付勢することにより、ヘッド部１の全体を上下に浮動可能に支持している。ヘッドベース７と内ケース２４との間には、これら両者７・２６の隙間を塞ぐパッキン３２が配置してある。
【００３１】
本体ケース２３は、前後に２分割される前ケース２３ａと後ケース２３ｂで構成する。樋体状に形成される前ケース２３ａの上端寄りの左右両側には、前ケース２３ａを防護枠３に固定するための係合突起３４が横臥Ｌ字状に突設してある（図７参照）。樋体状に形成される後ケース２３ｂの後壁上部には、きわ剃りベース３５が一体に形成してある。また、後ケース２３ｂの上端寄りの左右両側には、後ケース２３ｂを防護枠３に固定するための係合突起３４が横臥Ｌ字状に突設してある（図７参照）。この係合突起３４と、前ケース２３ａに設けた係合突起３４とは線対称の関係にある。
【００３２】
防護枠３は、透明なアクリル樹脂あるいはポリカーボネイト樹脂を素材とする射出成形品からなり、左右一対の側枠（縦枠）３８と、両側枠３８の下端どうしを繋ぐ底枠３９で逆門形に形成してある。側枠３８および底枠３９を、ぶ厚く太いプラスチックブロック状に形成することにより、防護枠３の外観上の印象を堅牢で重厚感に富むものとし、さらに、側枠３８および底枠３９の透明感によって、防護枠３の外観の印象をシンプルなデザインでありながら高級感に富むものとすることができる。ヘッド部１の左右幅と、防護枠３の左右幅は一致させてある。
【００３３】
各側枠３８の上端には、本体ケース２３の前後ケース２３ａ・２３ｂを固定するための係合部４０が形成してある。図７に示すように係合部４０には、防護枠３の中央部側へ向かって凹む係止凹部４１が形成してある。両側枠３８の間に嵌め込んだ前後ケース２３ａ・２３ｂの係合突起３４を係止凹部４１に係止し、その外面に固定ピース４２を装着固定し、さらに、前後ケース２３ａ・２３ｂの下部をビスで締結することにより、前後ケース２３ａ・２３ｂを防護枠３と分離不能に一体化できる。
【００３４】
左右の側枠３８の上端には、係合突起３４、係止凹部４１、および固定ピース４２の外面を覆う角箱状の化粧ピース４４が装着してある。また、図４に向かって右側の化粧ピース４４の内部には、モーター１４への通電状態を切り換えるスイッチボタン４５が配置してある。スイッチボタン４５の下方には、上下一対の発光表示部４６が設けてある。スイッチボタン４５で切り換え操作されるスイッチ４７と、発光表示部４６の光源となるＬＥＤ４８は、それぞれ回路基板に実装してある。発光表示部４６は、それぞれ側枠３８の後面側に設けた断面が四角形状の凹部からなり、凹部の内奥に形成した反射面を介して、各ＬＥＤ４８から発光された表示光を電気かみそりの前面側へ向かって反射する。
【００３５】
図３においてトリマーユニット４は、きわ剃りベース３５に組み付けられるホルダー５１と、ホルダー５１の上部に設けられる刃ユニット５２と、振動子２１の往復動作を刃ユニット５２の可動刃６１に伝える伝動アーム５３（図５参照）などで構成する。
【００３６】
図５、図８、図９および図１１に示すようにホルダー５１は、薄いシェル状に形成してあり、その外面に多段状の横リブで構成される滑止部５４を有し、内面の上下に左右一対ずつのスライド爪５５を備えている。これらのスライド爪５５を、本体部２のきわ剃りベース３５に設けたガイド溝５６に係合装着することにより、トリマーユニット４は上下スライド自在に案内支持される（図１１参照）。トリマーユニット４の上下のスライド限界はガイド溝５６で規定される。ホルダー５１ときわ剃りベース３５との間には節動構造が設けられており、節動構造によってトリマーユニット４を下方の待機位置と、待機位置より上方のコンビ剃り位置と、コンビ剃り位置より上方のきわ剃り位置との各位置において位置保持している。また、本体部２とトリマーユニット４との間には、コンビ剃り位置における刃ユニット５２を、待機位置における刃ユニット５２よりメイン刃６の側へ傾動操作する姿勢変更構造が設けてある。
【００３７】
図９において刃ユニット５２は、ヘッドケース５９と、ヘッドケース５９に組み付けられる固定刃６０、および可動刃６１と、可動刃６１を固定刃６０に押し付け付勢するばね６２と、可動刃６１およびばね６２の外面を覆うカバー６３などで構成する。ヘッドケース５９は、横断面が左右に長いコ字形のケース枠５９ａと、ケース枠５９ａの上面を塞ぐ上枠５９ｂとで構成してあり、上枠５９ｂの内面に固定刃６０が固定してある。ケース枠５９ａの内面左右には、連結壁６４が張り出してあり、その外側面に揺動軸（揺動中心軸）６５が突設され、内側面に操作軸６６が突設してある。揺動軸６５と操作軸６６とは、前後にずれた状態で配置してある。可動刃６１の下面には可動刃ホルダー６７が一体に設けてあり、その下部中央には伝動アーム５３の往復動力を受け継ぐ、上下に長い溝６８が形成してある（図８参照）。固定刃６０および可動刃６１は、それぞれバリカン刃状に形成してあり、可動刃６１を固定刃６０に沿って往復摺動させることにより、主としてくせ毛や長毛を切断する。
【００３８】
ばね６２および可動刃６１をケース枠５９ａに組み付けたのち、固定刃６０が組まれた上枠５９ｂをケース枠５９ａに組み付けることにより、固定刃６０および可動刃６１は、ヘッドケース５９に対して上下に重なる状態で一体化されて、両者６０・６１の切刃部分が刃ユニット５２の上部後面に露出する。カバー６３はケース枠５９ａに溶着固定される。
【００３９】
刃ユニット５２の左右の揺動軸６５を、図８に示すようにホルダー５１の上端左右に設けた連結穴７１に嵌め込み連結することにより、刃ユニット５２はホルダー５１で前後揺動自在に軸支される。また、揺動軸６５に外嵌装着したキックばね（ばね）７２のばね腕の一方を、ケース枠５９ａの内面に接当し、さらに他方のばね腕をホルダー５１の内面壁に接当することにより、刃ユニット５２はメイン刃６から遠ざかる向きへ揺動付勢される。但し、ケース枠５９ａの後壁の下端と、ケース枠５９ａの左右壁の下端のそれぞれが、ホルダー５１の上端面に接当するので、刃ユニット５２はキックばね７２の付勢力を受けているにもかかわらず、その後壁がホルダー５１の主面壁と面一になる状態で直立姿勢に保持される（図３拡大図参照）。つまり、刃ユニット５２は直立姿勢を越えて後傾することはないが、キックばね７２の付勢力に抗して一定角度範囲に限って前傾することができる。その詳細は後述する。
【００４０】
図８において、節動構造は、きわ剃りベース３５に設けられる左右一対の節度突起７４と、ホルダー５１の内面に固定される門形の弾性腕７５とで構成する。弾性腕７５の両側下端には優弧状の係合片７６が設けてあり、これらの係合片７６を節度突起７４の下端下部に位置させ、あるいは節度突起７４の対向面に設けた係合凹部７７・７８に落ち込み係合させることにより、トリマーユニット４を待機位置と、コンビ剃り位置と、きわ剃り位置の各位置において位置保持できるようにしている。係合凹部７７・７８は、それぞれ上下に隣接する半円状の突起で、対向する側が開口する状態で形成してある。
【００４１】
姿勢変更構造は、ヘッドケース５９の操作軸６６に連結される操作レバー８１と、先の節度突起７４の外側上部に設けられる第１・第２のストッパー８２・８３とで構成する。操作レバー８１は、弾性変形可能な門形の弾性腕８４と、弾性腕８４の下端（遊端）に設けられる係止片８５と、弾性腕８４の上端両側から上向きに突設される連結腕８６とを一体に備えている。連結腕８６の上端には、操作軸６５と係合する連結凹部８７が形成してある。門形の弾性腕８４の上壁の中央部分には、伝動アーム５３を抜け止め保持する規制壁８８が前方へ膨出する状態で形成してある。操作レバー８１は、操作軸６５を介して刃ユニット５２とのみ連結されている。また、操作レバー８１は、きわ剃りベース３５とホルダー５１とで内外面が保持されて上下スライド自在に案内支持されており、したがって、刃ユニット５２の上下スライドに追随して上下スライドできる。
【００４２】
メイン刃６でひげ切断を行なうときひげをメイン刃６へ導入案内するために、メイン刃６と刃ユニット５２との間のヘッド部１の外面に櫛歯９０を設けている（図１０参照）。外刃９のアーチ部分には網刃９ａが形成してあり、櫛歯９０に臨む個所には左右幅の全長にわたってスリット刃９ｂが形成してある。また、ヘッドケース５９の上端に主に長いひげを起毛する毛起し部９１が形成してある。図５に示すように、櫛歯９０は外刃ホルダー１０の後面上部の傾斜面に沿って形成してある。毛起し部９１は、上枠５９ｂの最上面に凹み形成される３個の起毛溝９２と、後向きに下り傾斜する傾斜面に形成される波形の起毛突起９３とからなる。図１０に示すように、波形の起毛突起９３は傾斜面に上下多段状に形成する。上記のように毛起し部９１を設けると、網刃９ａで短いひげ切断を行なう場合に、毛起し部９１でひげを起毛し、さらに櫛歯９０によってひげを梳き流すことができる。加えて、櫛歯９０の間にスリット刃９ｂが設けてあると、コンビ剃りを行なう場合に、刃ユニット５２で切断し切れなかった長毛を、毛起し部９１および櫛歯９０で再び起毛し、梳き流してスリット刃９ｂに案内できるので、長毛やくせ毛を効果的に切断できる。
【００４３】
図８に示すように伝動アーム５３は縦に長いひし形に形成してあり、その上端に可動刃ホルダー６７の溝６８と係合する駆動部９５を有し、下端の前面側に受動ピン９６が突設してある。振動子２１の後端には、伝動アーム５３と係合する縦長の係合溝２１ａが設けてある。ホルダー５１を下方の待機位置から、上方のコンビ位置へスライド操作した状態においては、伝動アーム５３の受動ピン９６が係合溝２１ａと係合して往復動力を受け継ぐ。伝動アーム５３は、ホルダー５１の内面に設けた軸９７で左右揺動可能に軸支してあり、その上端の駆動部９５の出力端が、可動刃６１の下面に固定した可動刃ホルダー６７の溝６８と常時係合している。
【００４４】
以下に、トリマーユニット４を使用する時の刃ユニット５２の姿勢変更動作を説明する。メイン刃６のみでひげそりを行なう場合のトリマーユニット４は、図５および図８に示す待機位置に保持されており、刃ユニット５２はキックばね７２の付勢力を受けて直立姿勢に保持されており、伝動アーム５３は振動子２１の係合溝２１ａから分離している。上記の状態からホルダー５１を押し上げ操作すると、伝動アーム５３の受動ピン９６が振動子２１の係合溝２１ａと係合し、節動構造によってトリマーユニットの全体がコンビ剃り位置に位置保持される。
【００４５】
詳しくは、図１２に示すように、弾性腕７５を弾性変形させながら係合片７６が節度突起７４を乗り越えて係合凹部７７に落ち込み係合する。ホルダー５１の上方移動に同行して刃ユニット５２および操作レバー８１が上方スライドし、刃ユニット５２の上端がメイン刃６の上端より僅かに突出する。また、操作レバー８１は、図１２および図１６（ａ）に示すようにその係止片８５が第１ストッパー８２で受け止められる。このとき、待機状態から係止片８５が第１ストッパー８２と接当するまでのスライド距離は、係合片７６が下側の係合凹部７７に落ち込み係合した状態におけるスライド距離に比べて小さく設定してある。そのため、刃ユニット５２は、ホルダー５１と同じ距離だけ上方スライドした状態において、操作レバー８１によって引っ張り力を受ける。したがって、刃ユニット５２は、図１３に示すように、メイン刃６側へ接近する向きに揺動軸６５の回りに傾動して、先のスライド距離の差を吸収する。
【００４６】
上記のように、コンビ剃り位置における刃ユニット５２は、待機位置における刃ユニット５２に比べて、僅かに（約７度）前傾して起毛突起９３が形成された傾斜面を水平姿勢に近付ける。このとき、刃ユニット５２は櫛歯９０より後方に位置しており、メイン刃６と刃ユニット５２とは櫛歯９０を間にして前後に隣接している（図１３参照）。
【００４７】
図１３に想像線で示すように、刃ユニット５２は、コンビ剃り位置からキックばね７２の付勢力に抗してさらに約７度だけ前傾することができる。このように、刃ユニット５２を約７度の範囲内で前後傾動させると、メイン刃６と刃ユニット５２とでコンビ剃りを行なうとき、刃ユニット５２を肌面の変化に沿って前後傾動させて、肌面が刃ユニット５２やその固定刃６０によって過剰に押圧され、あるいは皮膚が引っ張られるのを防止できる。また、くせ毛や倒れ込んだ長毛を起毛突起９３で起しながら刃ユニット５２で粗く切断したのち、メイン刃６によってさらに短く切断することができる。
【００４８】
コンビ剃り位置における刃ユニット５２は前後傾動するので、もみあげなどを切り揃えるのに適さない。そのため、コンビ剃り位置からホルダー５１をさらに押し上げ操作して、節動構造によってトリマーユニット４の全体をきわ剃り位置に位置保持する。この状態においても、伝動アーム５３の受動ピン９６は振動子２１の係合溝２１ａと係合している。
【００４９】
ホルダー５１をコンビ剃り位置からきわ剃り位置へ押し上げ操作すると、弾性腕７５が弾性変形しながら係合片７６が節度突起７４を乗り越えて、図１４に示すように上側の係合凹部７８に落ち込み係合する。ホルダー５１の上方移動に伴なって刃ユニット５２および操作レバー８１が上方スライドし、刃ユニット５２はメイン刃６の上端よりも上方へ大きく突出する。また、操作レバー８１は、その係止片８５が第１ストッパー８２を乗り越えたのち、図１４および図１６（ｂ）に示すように第２ストッパー８３で受け止められる。そのため、コンビ剃り位置において前傾していた刃ユニット５２は、キックばね７２の付勢力を受けてメイン刃６から遠ざかる向きに傾動し、待機位置における刃ユニット５２と同様に直立姿勢に保持される。このように、メイン刃６より上方へ大きく突出した状態の刃ユニット５２できわ剃りを行なうことにより、刃ユニット５２の切刃部分を視認しながら的確にきわ剃りを行なえる。
【００５０】
きわ剃り位置における操作レバー８１の掛止片８５は、第２ストッパー８３に受け止められて下方移動が規制され、これにより、操作レバー８１は刃ユニット５２の前後傾動を規制する規制体として機能する。因みに、設計上は操作レバー８１で刃ユニット５２の前後傾動を規制するように設定していたとしても、実際には僅かな誤差の集積等によって、係止片８５と第２ストッパー８３との間に僅かな隙間を生じることがある。こうした場合には、刃ユニット５２は直立姿勢（前傾角度０度）から、先の隙間分だけメイン刃６側へ僅かに接近傾動する位置との範囲内で微傾動できる。また、先の隙間がなかったとしても、第２ストッパー８３の上面が僅かに傾斜しているため、掛止片８５は第２ストッパー８３の上面に沿って僅かに滑り移動することができ、これにより、刃ユニット５２は直立姿勢から、メイン刃６の側へ１度だけ前傾できる。つまり、刃ユニット５２は０度から１度の前傾範囲内に限って前後へ微傾動できることとなる。このように、きわ剃り位置における操作レバー８１は、刃ユニット５２の前後傾動を規制することを基本的な機能としながら、必要があれば刃ユニット５２の微傾動を積極的に許すように構成することができ、その場合には、刃ユニット５２が微傾動することで、肌面への負担を軽減することができることとなる。
【００５１】
したがって、刃ユニット５２でもみあげ部分を切り揃えるような場合に、刃ユニット５２がぐらぐらするのを防ぎながら、安定した状態できわ剃りを行なえる。さらに、刃ユニット５２の切刃部分が肌面に強く押し付けられるときの過剰な押圧力を、１度の前傾範囲内で微傾動することで吸収できる。きわ剃り終了後には、ホルダー５１を待機位置まで一気に下降操作することによって、トリマーユニット４の全体を不使用状態に戻し、同時に伝動アーム５３の受動ピン９６を振動子２１の係合溝２１ａから分離して、動力を遮断できる。
【００５２】
図１に示すように、待機位置からコンビ剃り位置までのホルダー５１のスライド距離Ｚは７．５ｍｍであり、コンビ剃り位置からきわ剃り位置までのホルダー５１のスライド距離Ｙは４．５ｍｍである。また、コンビ剃り位置からきわ剃り位置までスライド移動した時の、刃ユニット５１の起立復帰に伴なう前後方向の変位量Ｘは１ｍｍである。このように、刃ユニット５２の各移動距離が、Ｘ＜Ｙ＜Ｚの関係に設定してあると、待機位置を低く設定できるので、メイン刃６でひげ切断を行なう際に刃ユニット５２が邪魔になるのを防止でき、とくに鼻下部分のひげを切断するときに刃ユニット５２が邪魔になるのを防止できる。また、コンビ剃り位置において刃ユニット５２をメイン刃６に近接傾動させ、さらに前後に傾動変位可能としながら、きわ剃り位置における刃ユニット５２をヘッド部１から不必要に突出させる必要もなく、メイン刃６から充分に遠ざけることができる。したがって、コンビ剃りを好適に行なえるのはもちろん、きわ剃りを的確に行なえる。
【００５３】
上記の実施例では、ヘッドケース５９の操作軸６６に連結される操作レバー８１と、同レバー８１を受け止める第１・第２のストッパー８２・８３と、キックばね７２で姿勢変更構造を構成したがその必要はなく、図１７および図１８に示すように、トリマーユニット４と本体ケース２３との間に設けた、ガイド溝１０１と、同溝１０１で移行案内されるスライドピン１０２とで姿勢変更構造を構成することができる。
【００５４】
ガイド溝１０１は、垂直線に対して後傾する第１溝１０３と、第１溝１０３の上端に連続して前傾する第２溝１０４とでく字状に形成し、第１・第２の両溝１０３・１０４の屈曲部分の後側に第１揺動溝１０５を、さらに第２溝１０４の上端に第２揺動溝１０６を設けてなる。第２揺動溝１０６の溝長さは、第１揺動溝１０５の溝長さに比べて充分に小さい。第１・第２の両揺動溝１０５・１０６の入口側には、スライドピン１０２を各揺動溝１０５・１０６から押し出し操作する復帰ばね１０７・１０８が設けてある。ホルダー５１と刃ユニット５２は揺動軸６５を介して相対揺動可能に連結してあり、揺動軸６５より下方へ延びる連結壁６４の下部にスライドピン１０２が設けてある。他は先の実施例と同じであるので、同じ部材に同じ符号を付してその説明を省略する。
【００５５】
トリマーユニット４が待機位置にあるとき、スライドピン１０２は図１８（ａ）に示すように第１溝１０３の下端に位置している。この状態から、ホルダー５１を押し上げてコンビ剃り位置へ変位操作すると、スライドピン１０２は図１８（ｂ）に示すように第１溝１０３と第２溝１０４の屈曲部に位置して、復帰ばね１０７に接当する。ホルダー５１が押し上げ操作される過程では、スライドピン１０２が後傾する第１溝１０３で本体部２から離れる向きへ移行案内される。そのため、刃ユニット５２は揺動軸６５を中心にしてメイン刃６へ接近する向きに前傾する。さらに、刃ユニット５２に前向きの外力が加わると、スライドピン１０２が復帰ばね１０７の付勢力に抗しながら第１揺動溝１０５の内部に入り込むので、刃ユニット５２は第１揺動溝１０５の分だけさらに前傾できる。外力が開放されると、刃ユニット５２は復帰ばね１０７で第１揺動溝１０５の外へ押し出されて、コンビ剃り位置に保持される。
【００５６】
また、コンビ剃り位置からホルダー５１を押し上げてきわ剃り位置へ変位操作すると、スライドピン１０２は図１８（ｃ）に示すように第２溝１０４の上端に位置して、復帰ばね１０８に接当する。ホルダー５１が押し上げ操作される過程では、スライドピン１０２が前傾する第２溝１０４で本体部２へ近づく向きへ移行案内される。そのため、刃ユニット５２は揺動軸６５を中心にしてメイン刃６から離れる向きに後傾する。さらに、刃ユニット５２に前向きの外力が加わると、スライドピン１０２が復帰ばね１０８の付勢力に抗しながら第２揺動溝１０６の内部に入り込むので、刃ユニット５２は第２揺動溝１０６の分だけさらに前傾できる。外力が開放されると、刃ユニット５２は復帰ばね１０８で第２揺動溝１０６の外へ押し出されて、きわ剃り位置に保持される。
【００５７】
上記の実施例以外に、コンビ剃り位置において前傾する刃ユニット５２をその状態のままで上方移動させて、きわ剃り位置における刃ユニット５２を、コンビ剃り置における刃ユニット５２と同様に前傾姿勢に保持することができる。また、待機位置における刃ユニット５２を後傾させておき、コンビ剃り位置において刃ユニット５２をメイン刃６側へ前傾させ、さらにきわ剃り位置における刃ユニット５２を、待機位置と同じ姿勢で後傾させることができる。
【００５８】
上記の実施例では、コンビ剃り位置における刃ユニット５２を、待機位置における刃ユニット５２に比べて約７度だけ前傾させるようにしたが、係合凹部７７の位置を上側（または下側）へずらし、あるいは第１ストッパー８２の位置を下側（または上側）へずらして、刃ユニット５２前傾角度を７度より大きく（または小さく）することができる。その場合には、刃ユニット５２前傾角度が大きくなった分だけ、コンビ剃り位置における刃ユニット５２の前後傾動角度が小さく（または大きく）なる。
【００５９】
上記の実施例では、固定刃６０および可動刃６１がヘッドケース５９の上部後面から横向きに露出する刃ユニット５２について説明したが、固定刃６０および可動刃６１は、刃ユニット５２の上端において上向き、あるいは斜め上向きに露出する構造であってもよい。刃ユニット５２を構成する固定刃６０および可動刃６１は、バリカン刃で形成する以外に、スリットと切刃とが交互に配置されたスリット刃で形成してあってもよい。起毛突起９３は、左右方向に連続する波形あるいは鋸刃状である必要はなく、左右方向に間隔をあけながら断続する状態で形成することができる。
【００６０】
電気かみそりのヘッド部１および本体部２の構造は実施例で説明した構造である必要はなく、本発明はトリマーユニットを備えている電気かみそりの全てに適用できる。また、ヘッド部１は本体部２で浮動（フロート）支持してある必要はなく、ヘッド部１は本体部２で浮動不能に固定支持してあってもよい。ばね７２はキックばねである必要はなく、板ばねや圧縮ばねなどで構成することができる。ホルダー５１と刃ユニット５２は、一体成形ヒンジを介して一体に成形することができる。その場合には、一体成形ヒンジが揺動中心軸６５として機能する。
【図面の簡単な説明】
【００６１】
【図１】トリマーユニットの側面図である。
【図２】電気かみそりの正面図である。
【図３】電気かみそりの側面図である。
【図４】ヘッド部の内部構造を縦断正面である。
【図５】ヘッド部およびトリマーユニットの縦断側面図である。
【図６】電気かみそりの分解側面図である。
【図７】前後ケースの固定構造を示す分解斜視図である。
【図８】トリマーユニットの縦断背面図である。
【図９】トリマーユニットの構成部品を破断した状態の分解側面図である。
【図１０】ヘッド部の平面図である。
【図１１】図１２におけるＡ−Ａ線断面図である。
【図１２】コンビ剃り状態におけるトリマーユニットの状態を示す縦断背面図である。
【図１３】図１２に対応するトリマーユニットの縦断側面図である。
【図１４】きわ剃り状態におけるトリマーユニットの状態を示す縦断背面図である。
【図１５】図１４に対応するトリマーユニットの縦断側面図である。
【図１６】図１２におけるＢ−Ｂ線断面図である。
【図１７】姿勢変更構造の別の実施例を示す縦断背面図である。
【図１８】図１７に係る姿勢変更構造の動作を示す説明図である。
【符号の説明】
【００６２】
１  ヘッド部
２  本体部
４  トリマーユニット
６  メイン刃
９  内刃
１１  外刃
５１  ホルダー
５２  刃ユニット
５９  ヘッドケース
６０  固定刃
６１  可動刃
６５  揺動中心軸（揺動軸）
６６  操作軸
７２  ばね（キックばね）
【図１】
2010022437.tif 000003
【図２】
2010022437.tif 000004
【図３】
2010022437.tif 000005
【図４】
2010022437.tif 000006
【図５】
2010022437.tif 000007
【図６】
2010022437.tif 000008
【図７】
2010022437.tif 000009
【図８】
2010022437.tif 000010
【図９】
2010022437.tif 000011
【図１０】
2010022437.tif 000012
【図１１】
2010022437.tif 000013
【図１２】
2010022437.tif 000014
【図１３】
2010022437.tif 000015
【図１４】
2010022437.tif 000016
【図１５】
2010022437.tif 000017
【図１６】
2010022437.tif 000018
【図１７】
2010022437.tif 000019
【図１８】
2010022437.tif 000020